(57)【特許請求の範囲】
【請求項１】
音声信号を入力する音声信号入力手段と，アップキー及びダウンキーの押下によってデュティ比が変化するＰＷＭ信号を発生させるＰＷＭ信号発生手段と，前記ＰＷＭ信号発生手段が発生するＰＷＭ信号を直流レベルに変換する整流手段と，前記音声信号入力手段から入力された音声信号のレベルを前記整流手段の出力レベルに応じて調節する音声信号レベル調節手段と，前記音声信号レベル調節手段によってレベルが調節された音声信号を処理する音声信号処理手段と，前記音声信号処理手段によって処理された音声信号を増幅して出力する音声出力手段とから構成され，前記音声信号処理手段は，前記音声信号レベル調節手段が出力する音声信号のレベルを検出して音声信号レベル調節手段に帰還させて音声信号のレベルを調節するようにする音声信号レベル検出部と，前記音声信号レベル検出部が出力する音声信号のレベルを調節して出力する音声信号結合部と，前記音声信号結合部の出力信号のインピーダンスを整合させ，低音周波数帯城を補償して前記音声出力手段から出力する調節／低音補償部とから構成されることを特徴とする，パルス幅変調を利用した音量調節回路。
【請求項２】
前記ＰＷＭ信号発生手段は，マイクロコンピュータを使用してアップキー及び／又はダウンキーを押下することによってＰＷＭ信号を発生させることを特徴とする，請求項１に記載のパルス幅変調を利用した音量調節回路。
【請求項３】
前記整流手段は，前記ＰＷＭ信号発生手段の出力信号を直流レベルに変換する抵抗及びコンデンサと，前記抵抗及びコンデンサによって変換された直流レベルを調節するレベル調節手段から構成されることを特徴とする，請求項１または２に記載のパルス幅の変調を利用した音量調節回路。
【請求項４】
前記整流手段は，外部サージ電圧を除去するための定電圧ダイオードを含むことを特徴とする，請求項３に記載のパルス幅の変調を利用した音量調節回路。
【請求項５】
コンピュータシステムのサウンドカードから音声信号を入力する音声信号入力手段と，モニタの作動を制御し，アップキー及びダウンキーの押下によってデュティ比が変化するＰＷＭ信号を発生させるマイクロコンピュータと，前記マイクロコンピュータが発生させるＰＷＭ信号を直流レベルに変換する整流手段と，前記音声信号入力手段が入力した音声信号のレベルを前記整流手段の出力レベルによって調節する音声信号レベル調節手段と，前記音声信号レベル調節手段によってレベルが調節された音声信号を処理する音声信号処理手段と，前記音声信号処理手段によって処理された音声信号を増幅して出力する音声出力手段とから構成され，前記音声信号処理手段は，音声信号レベル調節手段が出力する音声信号のレベルを検出し，音声信号レベル調節手段に帰還させて音声信号のレベルを調節するようにする音声信号レベル検出部と，前記音声信号レベル検出部が出力する音声信号のレベルを調節して出力する音声信号結合部と，前記音声信号結合部の出力信号のインピーダンスを整合させ，低音周波数帯城を補償して前記音声出力手段から出力する調節／低音補償部から構成されることを特徴とする，パルス幅の変調を利用した音量調節回路。
【請求項６】
前記整流手段は，前記ＰＷＭ信号発生手段の出力信号を直流レベルに変換する抵抗及びコンデンサと，前記抵抗及びコンデンサによって変換された直流レベルを調節するレベル調節手段から構成されることを特徴とする，請求項５に記載のパルス幅の変調を利用した音量調節回路。
【請求項７】
前記整流手段は，外部サージ電圧を除去するための定電圧ダイオードを含むことを特徴とする，請求項５または６に記載のパルス幅の変調を利用した音量調節回路。
【発明の詳細な説明】
【０００１】
【発明の属する技術分野】
本発明は，使用者の操作によってデューティ比が変化するパルス幅変調（以下，ＰＷＭと略称する。）信号を発生させて音声信号の出力レベルを調節するＰＷＭ信号を利用した音量調節回路に関するものである。
【０００２】
【従来の技術】
一般的に音声信号を出力するＴＶ受像機及びオーディオシステム等の音声出力機器達は通常的に増幅器を具備して音声信号を増幅及び出力している。
【０００３】
また，前記音声出力機器達はレベル調節手段を具備して，使用者が前記レベル調節手段を操作することによって音声信号のレベルが調節され出力されるようになっている。
【０００４】
一方，コンピュータシステムに関聯する技術の発展につれてマルチメディア技術が適用され，コンピュータシステムではサウンドカードを具備していろいろな音声信号を出力している。
【０００５】
例えば，コンピュータシステムを利用して数々のゲームを楽しむ場合，サウンドカードがゲームの進行による音声信号を出力している。
【０００６】
コンピュータシステムに装着されているＣＤ−ＲＯＭドライブでオーディオ用ＣＤあるいはＶＣＤを再生する場合にもオーディオ用ＣＤ及びＶＣＤの再生音声信号をサウンドカードが出力している。
【０００７】
コンピュータシステムにサウンドカードを設けて音声信号を出力することによって，コンピュータシステムの画面出力装置として使用されているモニタも，単に所定の映像だけを表示する機能から音声出力機能を備えて，コンピュータシステムから出力される音声信号を増幅し，スピーカから出力している。
【０００８】
その際には，モニタに音声出力機能を制御するためのレベル調節手段を設け，使用者がレベル調節手段を操作することによって音声信号レベルを調整して出力するように構成されている。
【０００９】
このように音声出力機器及びコンピュータシステムから出力される音声信号のレベルを調節するために，従来の装置ではレベル調節手段として可変抵抗を使用していた。
【００１０】
従来の装置を，図５を参照しながら詳細に説明する。図５は，レベル調節手段として可変抵抗を使用して音声信号の出力レベルを調節する従来の音声の大きさ調節回路図である。
【００１１】
ここで，ＬＳＩ及びＲＳＩはＬチャンネル音声信号及びＲチャンネル音声信号を各々入力する音声信号入力端子である。前記音声信号入力端子（ＬＳＩ）（ＲＳＩ）は結合コンデンサ（ＣＩ）（Ｃ２）を介して可変抵抗（ＶＲ１）（ＶＲ２）にそれぞれ接続される。また前記可変抵抗（ＶＲ１）（ＶＲ２）の可変端子はミュート（ｍｕｔｅ）用スイッチ（ＳＷＩ）（ＳＷ２）を介して音声増幅器（１）の入力端子に接続される。
【００１２】
前記音声増幅器（１）の出力端子はコンデンサ（Ｃ３）（Ｃ４）を各々介した後，Ｌチャンネル音声信号及びＲチャンネル音声信号を各々出力するスピーカ（ＳＰ１）（ＳＰ２）に接続される。
【００１３】
このように構成された従来の音声の大きさ調節回路は，Ｌチャンネル音声信号及びＲチャンネル音声信号が音声信号入力端子（ＬＳＩ）（ＲＳＩ）に各々入力される。
【００１４】
音声信号入力端子（ＬＳＩ）（ＲＳＩ）に入力されたＬチャンネル音声信号及びＲチャンネル音声信号は結合コンデンサ（Ｃ１）（Ｃ２）を介して，使用者が可変抵抗（ＶＲ１）（ＶＲ２）を操作することによってレベルが調節された後，ミュートスイッチ（ＳＷ１）（ＳＷ２）を介して音声増幅器（１）に入力される。
【００１５】
その結果，前記音声増幅器（１）は入力されたＬチャンネル音声信号及びＲチャンネル音声信号をそれぞれ増幅し，コンデンサ（Ｃ３）（Ｃ４）を介してスピーカ（ＳＰ１）（ＳＰ２）から出力して使用者が聴取ることができるようになる。
【００１６】
前記ミュートスイッチ（ＳＷ１）（ＳＷ２）は使用者の直接操作あるいは使用者のミュートキー（図面に図示されてない）等の操作によって，マイクロコンピュータ等の制御手段が出力するミュート制御信号によって作動するもので，ミュートスイッチ（ＳＷ１）（ＳＷ２）が開放される場合には音声信号が遮断され，出力されない。
【００１７】
すなわち，前記の従来の技術は，使用者が可変抵抗（ＶＲ１）（ＶＲ２）を操作することによって，Ｌチャンネル音声信号及びＲチャンネル音声信号のレベルを調整して出力するように構成されている。
【００１８】
【発明が解決しようとする課題】
しかし，音声信号を可変抵抗（ＶＲ１）（ＶＲ２）により変更してレベル調節する場合には，一定量の可変範囲に正確に調節することが難しく，可変抵抗（ＶＲ１）（ＶＲ２）の誤差等によって均一なＳＮ比を得ることができないという問題点があった。
【００１９】
そして長期間使用の場合に可変抵抗（ＶＲ１）（ＶＲ２）が劣化したり，周辺の環境条件，例えば，ほこりや湿度等によって可変抵抗（ＶＲ１）（ＶＲ２）を変化する場合に雑音が発生するという問題点があった。
【００２０】
また，ミュートスイッチ（ＳＷ１）（ＳＷ２）を開放して音声信号をミュートさせるので，音声信号が音声増幅器（１）に入力され増幅及び出力される状態で音声信号をミュートさせる場合には，音声増幅器（１）に入力される音声信号が瞬間的に遮断される。そのため，ミュート時，ポップ雑音等が発生して使用者に不快感を与え，製品に対する信頼性を低下させる要因となった。
【００２１】
したがって，本発明は，従来の装置が有する上記問題点に鑑みてなされたものであり，その目的は，使用者の操作によってデューティ比が変化するＰＷＭ信号を発生させ音声信号の出力レベルを調節するＰＷＭ信号を利用した音量調節回路を提供することにある。
【００２２】
本発明の他の目的は，モニタに具備されてあるマイクロコンピュータから使用者の操作によってデューティ比が可変するＰＷＭ信号を発生させ，コンピュータシステムのサウンドカードが出力する音声信号のレベルを調節するそのＰＷＭ信号を利用した音声の大きさ調節回路を提供することにある。
【００２３】
【課題を解決するための手段】
上記課題を解決するために，本発明の第１の観点によれば，請求項１に記載のように，音声信号を入力する音声信号入力手段と，アップキー及びダウンキーの押下によってデュティ比が変化するＰＷＭ信号を発生させるＰＷＭ信号発生手段と，前記ＰＷＭ信号発生手段が発生するＰＷＭ信号を直流レベルに変換する整流手段と，前記音声信号入力手段から入力された音声信号のレベルを前記整流手段の出力レベルに応じて調節する音声信号レベル調節手段と，前記音声信号レベル調節手段によってレベルが調節された音声信号を処理する音声信号処理手段と，前記音声信号処理手段によって処理された音声信号を増幅して出力する音声出力手段とから構成されることを特徴とする，パルス幅変調を利用した音量調節回路が提供される。
【００２４】
また，前記ＰＷＭ信号発生手段は，請求項２に記載のように，マイクロコンピュータを使用してアップキー及びダウンキーを押下することによってＰＷＭ信号を発生させることが好ましい。
【００２５】
また，前記整流手段は，請求項３に記載のように，前記ＰＷＭ信号発生手段の出力信号を直流レベルに変換する抵抗及びコンデンサと，前記抵抗及びコンデンサによって変換された直流レベルを調節するレベル調節手段から構成することができる。また，前記整流手段は，請求項４に記載のように，外部サージ電圧を除去するための定電圧ダイオードを含むように構成することができる。
【００２６】
さらに，前記音声信号処理手段は，請求項５に記載のように，前記音声信号レベル調節手段が出力する音声信号のレベルを検出して音声信号レベル調節手段に帰還させて音声信号のレベルを調節するようにする音声信号レベル検出部と，前記音声信号レベル検出部が出力する音声信号のレベルを調節して出力する音声信号結合部と，前記音声信号結合部の出力信号のインピーダンスを整合させ，低音周波数帯城を補償して前記音声出力手段から出力する調節／低音補償部とから構成されることが好ましい。
【００２７】
上記課題を解決するために，本発明の第２の観点によれば，請求項６に記載のように，コンピュータシステムのサウンドカードから音声信号を入力する音声信号入力手段と，モニタの作動を制御し，アップキー及びダウンキーの押下によってデュティ比が変化するＰＷＭ信号を発生させるマイクロコンピュータと，前記マイクロコンピュータが発生させるＰＷＭ信号を直流レベルに変換する整流手段と，前記音声信号入力手段が入力した音声信号のレベルを前記整流手段の出力レベルによって調節する音声信号レベル調節手段と，前記音声信号レベル調節手段によってレベルが調節された音声信号を処理する音声信号処理手段と，前記音声信号処理手段によって処理された音声信号を増幅して出力する音声出力手段とから構成されることを特徴とする，パルス幅の変調を利用した音量調節回路が提供される。
【００２８】
なお，前記整流手段は，請求項７に記載のように，前記ＰＷＭ信号発生手段の出力信号を直流レベルに変換する抵抗及びコンデンサと，前記抵抗及びコンデンサによって変換された直流レベルを調節するレベル調節手段から構成することができる。また，前記整流手段は，請求項８に記載のように，外部サージ電圧を除去するための定電圧ダイオードを含むように構成することができる。
【００２９】
さらに，前記音声信号処理手段は，請求項９に記載のように，音声信号レベル調節手段が出力する音声信号のレベルを検出し，音声信号レベル調節手段に帰還させて音声信号のレベルを調節するようにする音声信号レベル検出部と，前記音声信号レベル検出部が出力する音声信号のレベルを調節して出力する音声信号結合部と，前記音声信号結合部の出力信号のインピーダンスを整合させ，低音周波数帯城を補償して前記音声出力手段から出力する調節／低音補償部から構成されることが好ましい。
【００３０】
以上のような構成により，本発明によると，音声信号の出力レベルを電子的に可変させるので，長期間使用しても雑音等が発生せず，音声信号をミュートさせる場合にもＰＷＭ信号発生手段が出力するＰＷＭ信号のデューティ比を調節することによってポップ雑音等が発生しなくなる。
【００３１】
【発明の実施の形態】
以下，添附された図１〜図３の図面を参照して本発明のＰＷＭ信号を利用した音量調節回路を詳細に説明する。
【００３２】
図１は，本発明の音声の大きさ調節回路図である。ここに図示されたように，音量調節回路は，コンピュータシステムから音声信号入力端子（ＬＳＩ）（ＲＳＩ）を介してＬチャンネル音声信号及びＲチャンネル音声信号を入力する音声信号入力手段（１０）と，アップキー（ＵＫ）及びダウンキー（ＤＫ）の押下によってデューティ比が変化するＰＷＭ信号を発生させるＰＷＭ信号発生手段（１１）と，前記ＰＷＭ信号発生手段（１１）が発生させたＰＷＭ信号を直流レベルに変換する整流手段（１２）と，前記音声信号入力手段（１０）が入力したＬチャンネル音声信号及びＲチャンネル音声信号のレベルを前記整流手段（１２）の出力レベルによって調節する音声信号レベル調節用集積素子（１３）と，前記音声信号レベル調節用集積素子（１３）によってレベルが調節された音声信号を処理する音声信号処理手段（１４）と，前記音声信号処理手段（１４）によって処理された音声信号を増幅して出力する音声出力手段（１５）と，電源（Ｖｃｃ）を安定化させ作動電源を供給する電源供給手段（１６）とから主に構成される。
【００３３】
前記音声信号入力手段（１０）は，音声信号入力端子（ＬＳＩ）（ＲＳＩ）を介して入力されるＬチャンネル音声信号及びＲチャンネル音声信号が直列接続されたコンデンサ（Ｃ１１）（Ｃ１２）及び抵抗（Ｒ１１）（Ｒ１２）を介して音声信号レベル調節用集積素子（１３）の入力端子（ＩＮ１１）（ＩＮ１２）に各々印加されるように接続される。
【００３４】
前記整流手段（１２）は，前記ＰＷＭ信号発生手段（１１）の出力端子が抵抗（Ｒ１３）を介して定電圧ダイオード（ＺＤ１１）のカソード，接地コンデンサ（Ｃ１３）及び接地抵抗（Ｒ１４）に接続される。前記定電圧ダイオード（ＺＤ１１）のカソード，接地コンデンサ（Ｃ１３）及び接地抵抗（Ｒ１４）の接続点は抵抗（Ｒ１５）を介して音声信号レベル調節用集積素子（１３）のレベル調節端子（ＶＬ）に接続される。
【００３５】
前記音声信号処理手段（１４）は，図２に示すように，前記音声信号レベル調節用集積素子（１３）がＬチャンネル音声信号及びＲチャンネル音声信号を各々出力する出力端子（ＯＴ１１）（ＯＴ１２）の間に抵抗（Ｒ１７）（Ｒ１８）が接続され，抵抗（Ｒ１７）（Ｒ１８）の接続点は音声信号レベル調節用集積素子（１３）の共通端子（ＣＯＭ）に接続され音声信号レベル検出部（１４１）が構成され，さらに，抵抗（Ｒ１７）（Ｒ１８）の接続点が抵抗（Ｒ１６）介して音声信号レベル調節用集積素子（１３）のレベル調節端子（ＶＬ）に接続されることにより構成される。
【００３６】
また，前記音声信号レベル検出部（１４１）の出力端子（ＯＴ１１）（ＯＴ１２）と抵抗（Ｒ１７）（Ｒ１８）の接続点では，コンデンサ（Ｃ１４）（Ｃ１５）及び抵抗（Ｒ１９）（Ｒ２０）が各々直列に接続され音声信号結合部（１４２）が構成される。
【００３７】
さらに，前記音声信号結合部（１４２）の抵抗（Ｒ１９）（Ｒ２０）の他側端子は，接地抵抗（Ｒ２１）（Ｒ２２），接地コンデンサ（Ｃ１６）（Ｃ１７）及び前記音声出力手段（１５）の音声増幅器（１５１）の入力端子に接続されインピーダンス調節／低音補償部（１４３）が構成される。
【００３８】
そして，前記電源供給手段（１６）は，作動電源（Ｖｃｃ）を安定化させる接地コンデンサ（Ｃ１９）が抵抗（Ｒ２３）を介して接地コンデンサ（Ｃ１８），定電圧ダイオード（ＺＤ１２）のカソード及び前記音声信号レベル調節用集積素子（１３）の電源端子に接続される。
なお，図１の図面説明の中で符号ＳＰ１１，ＳＰ１２はスピーカである。
【００３９】
このように構成された本発明は印加される作動電源（Ｖｃｃ）がコンデンサ（Ｃ１９）によって安定化され音声出力手段〈１５）の音声増幅器（１５１）に作動電源として印加される。
【００４０】
また，作動電源（Ｖｃｃ）が電源供給手段（１６）の抵抗（Ｒ２３）を介してコンデンサ（Ｃ１８）に印加されて安定化され，定電圧ダイオード（ＺＤ１２）に印加され安定した定電圧に変換された後，音声信号レベル調節用集積素子（１３）の電源端子に作動電源として印加される。
【００４１】
このような状態でＬチャンネル音声信号及びＲチャンネル音声信号が音声信号入力端子（ＬＳＩ）（ＲＳＩ）を介して音声信号入力手段（１０）に入力され，入力された音声信号はコンデンサ（Ｃ１１）（Ｃ１２）及び抵抗（Ｒ１１）（Ｒ１２）を介して音声信号レベル調節用集積素子（１３）の入力端子（ＩＮ１１）（ＩＮ１２）に入力される。
【００４２】
すると，音声信号レベル調節用集積素子（１３）は入力されるＬチャンネル音声信号及びＲチャンネル音声信号のレベルを演算増幅器（ＯＰ１）（ＯＰ２）からレベル調節端子（ＶＬ）に印加される直流レベルによって調節し，出力端子（ＯＴ１１）（ＯＴ１２）から出力することになる。
【００４３】
音声信号レベル調節用集積素子（１３）の出力端子（ＯＴ１１）（ＯＴ１２）から出力される音声信号の電流は音声信号処理手段（１４）の音声信号レベル検出部（１４１）の抵抗（Ｒ１７）（Ｒ１８）に印加されて電圧に変換される。
【００４４】
そして前記音声信号レベル調節用集積素子（１３）は，電源端子に印加される電源電圧のレベルを１／２に調節した後，共通端子（ＣＯＭ）から出力する。
【００４５】
前記共通端子（ＣＯＭ）から出力された電源電圧の１／２レベルは前記抵抗（Ｒ１７）（Ｒ１８）の接続点の電圧と共に抵抗（Ｒ１６）を介して前記音声信号レベル調節用集積素子（１３）のレベル調節端子（ＶＬ）に印加されて音声信号の出力レベルの調節に使われる。
【００４６】
前記抵抗（Ｒ１７）（Ｒ１８）で電圧に変換された音声信号は音声信号処理手段（１４）の音声信号結合部（１４２）のコンデンサ（Ｃ１４）（Ｃ１５）及び抵抗（Ｒ１９）（Ｒ２０）を介してインピーダンス調節／低音補償部（１４３）に入力される。
【００４７】
この時，音声信号は抵抗（Ｒ１９）（Ｒ２０）によって一定レベルに補正されるので，音声信号のレベルが高い場合に発生する歪みを補償することが可能となる。
【００４８】
また前記音声信号処理手段（１４）の音声信号結合部（１４２）が出力する音声信号は，インピーダンス調節／低音補償部（１４３）の抵抗（Ｒ２１）（Ｒ２２）によってインピーダンスが整合される。すなわち，抵抗（Ｒ２１）（Ｒ２２）によって音声信号レベル調節用集積素子（１３）と音声出力手段（１５）のインピーダンスが整合される。
【００４９】
そして前記抵抗（Ｒ２１）（Ｒ２２）によってインピーダンスが調節された音声信号は，コンデンサ（Ｃ１６）（Ｃ１７）によって低音周波数帯域が補償されて出力される。
【００５０】
さらに，前記音声信号処理手段（１４）によって処理され出力されたＬチャンネル音声信号及びＲチャンネル音声信号は音声出力手段（１５）の音声増幅器（１５１）で増幅され，スピーカ（ＳＰ１１）（ＳＰ１２）から出力される。
【００５１】
このように作動することにより，使用者が音声信号の出力レベルを調節するためにアップキー（ＵＫ）あるいはダウンキー（ＤＫ）を操作すると，ＰＷＭ信号発生手段（１１）はアップキー（ＵＫ）あるいはダウンキー（ＤＫ）の操作によってデュティ比が変化するＰＷＭ信号を出力することになる。
【００５２】
つまり，ＰＷＭ信号発生手段（１１）は，例えばマイクロコンピュータを使用することによって使用者がアップキー（ＵＫ）を押下する時にはデュティ比が大きくなるＰＷＭ信号を出力し，ダウンキー（ＤＫ）を押下する時にはデュティ比が小さくなるＰＷＭ信号を出力することになる。
【００５３】
このようにＰＷＭ信号発生手段（１１）が出力するＰＷＭ信号は，整流手段（１２）の抵抗（Ｒ１３）を介してコンデンサ（Ｃ１３）によって直流レベルに変換され，抵抗（Ｒ１４）（Ｒ１５）によってレベルが調節された後，前記音声信号レベル調節用集積素子（１３）のレベル調節端子（ＶＬ）に印加される。なお，定電圧ダイオード（ＺＤ１１）は外部から入力されるサージ（ｓｕｒｇｅ）電圧を除去するためのものである。
【００５４】
以上のようにして，音声信号レベル調節用集積素子（１３）の演算増幅器（ＯＰ１）（ＯＰ２）は，レベル調節端子（ＶＬ）に印加された直流電圧のレベルに応じて音声信号のレベルを調節して出力することになる。
【００５５】
すなわち，使用者のアップキー（ＵＫ）操作によってＰＷＭ信号発生手段（１１）がデュティ比の大きいＰＷＭ信号を発生させる場合には，レベル調節端子（ＶＬ）に印加される直流電圧のレベルが大きくなり，音声信号レベル調節用集積素子（１３）は音声信号のレベルを大きく出力することになる。
【００５６】
これに対して，使用者のダウンキー（ＤＫ）操作によってＰＷＭ信号発生手段（１１）がデュティ比の小さなＰＷＭ信号を発生させる場合には，レベル調節端子（ＶＬ）に印加される直流電撃のレベルが小さくなり，音声信号レベル調節用集積素子（１３）は音声信号のレベルを小さく出力することになる。
【００５７】
図３は，本発明の音声の大きさ調節回路をモニタに適用した実施例を示した回路図である。ここで，符号１００はコンピュータシステムであり，符号２００はモニタである。
【００５８】
前記コンピュータシステム（１００）には，ビデオカード（１１０）及びサウンドカード（１２０）が設けられる。前記コンピュータシステム（１００）に設けられるビデオカード（１１０）はモニタ（２００）に表示するＲ，Ｇ及びＢの色信号を出力すると共に水平同期信号（ＨＳ）及び垂直同期信号（ＶＳ）を出力する。
【００５９】
前記モニタ（２００）は，モニタ（２００）の動作を制御し，使用者がアップキー（ＵＫ）及びダウンキー（ＤＫ）を押すことによってデュティ比が変化するＰＷＭ信号を発生させるマイクロコンピュータ（２１０）と，前記コンピュータシステム（１００）のビデオカード（１１０）が出力するＲ，Ｇ及びＢの色信号を前記マイクロコンピュータ（２１０）の制御によって処理して陰極線管（２３０）に出力する映像処理部（２２０）と，前記コンピュータシステム（１００）のビデオカード（１１０）が出力する水平同期信号（ＨＳ）及び垂直同期信号（ＶＳ）と前記マイクロコンピュータ（２１０）の制御によって前記陰極線管（２３０）の偏向を制御して所定の映像が表示されるようにする偏向制御部（２４０）を備えている。
【００６０】
そして，前記コンピュータシステム（１００）のサウンドカード（１２０）から出力される音声信号が前記音声信号入力手段（１０）に入力され，前記マイクロコンピュータ（２１０）が出力するＰＷＭ信号を前記整流手段（１２）が整流して音声信号のレベルを調節するように構成されている。
【００６１】
このように構成された本発明はコンピュータシステム（１００）が作動する場合に，ビデオカード（１１０）は水平同期信号（ＨＳ）及び垂直同期信号（ＶＳ）を出力し，前記出力する水平同期信号（ＨＳ）及び垂直同期信号（ＶＳ）に同期してＲ，Ｇ及びＢの色信号を出力する。そして，コンピュータシステム（１００）に具備されてあるサウンドカード（１２０）は所定のＬチャンネル音声信号及びＲチャンネル音声信号を出力する。
【００６２】
また，前記ビデオカード（１１０）が出力するＲ，Ｇ及びＢの色信号はモニタ（２００）の映像処理部（２２０）に入力され，水平同期信号（ＨＳ）及び垂直同期信号（ＶＳ）はモニタ（２００）のマイクロコンピュータ（２１０）及び偏向制御部（２４０）に入力される。
【００６３】
すると，マイクロコンピュータ（２１０）は入力された水平同期信号（ＨＳ）及び垂直同期信号（ＶＳ）の周波数によって前記ビデオカード（１１０）が出力するＲ，Ｇ及びＢの色信号のモードを判断する。
【００６４】
つまり，マイクロコンピュータ（２１０）はＲ，Ｇ及びＢの色信号がＣＧＡモード，ＶＧＡモードあるいはＳＶＧＡモード等に出力されるかを判断し，判断結果によって制御信号を出力することになる。
【００６５】
すると，前記映像処理部（２２０）は前記ビデオカード（１１０）から入力されるＲ，Ｇ及びＢの色信号を前記マイクロコンピュータ（２１０）が出力する制御信号によって処理し，陰極線管（２３０）に出力する。
【００６６】
そして前記偏向制御部（２４０）は，前記ビデオカード（１１０）から入力される水平同期信号（ＨＳ）及び垂直同期信号（ＶＳ）を前記マイクロコンピュータ（２１０）が出力する制御信号によって，所定の処理を行い，陰極線管（２３０）の偏向を制御し，所定の映像が表示されるようにする。
【００６７】
一方，コンピュータシステム（１００）のサウンドカード（１２０）から入力される音声信号は音声信号入力手段（１０）を介して音声信号レベル調節用集積素子（１３）に入力される。
【００６８】
このような状態で使用者がアップキー（ＵＫ）及び／又はダウンキー（ＤＫ）を押すことによってマイクロコンピュータ（２１０）はデュティ比が変化したＰＷＭ信号を出力することになる。
【００６９】
さらに，前記マイクロコンピュータ（２１０）が出力するＰＷＭ信号は整流手段（１２）で整流されて直流レベルに変換され，音声信号レベル調節用集積素子（１３）に入力される。
【００７０】
すると，音声信号レベル調節用集積素子（１３）は，前記音声信号入力手段（１０）を介して入力される音声信号のレベルを前記整流手段（１２）の出力信号によって調節し，出力することになる。さらに，前記音声信号レベル調節用集積素子（１３）が出力した音声信号は音声信号処理手段（１４）によって処理され，音声出力手段（１５）を介して出力される。
【００７１】
以上添付図面を参照しながら本発明の好適な実施形態にかかるパルス幅変調信号を利用した音量調整回路の好適な実施形態について説明したが本発明はかかる例に限定されない。当業者であれば，特許請求の範囲に記載された技術的思想の範疇内において各種の変更例または修正例に想到し得ることは明らかであり，それらについても当然に本発明の技術的範囲に属するものと了解される。
【００７２】
【発明の効果】
以上説明したように本発明によれば，音声信号のレベルを電子的に調節して出力することが可能なので，音声信号の出力レベルを簡単に調節することができ，長期間使用しても雑音が発生せず音量を正確に調節できると共に音量の調節の時にも安定に作動する。
【００７３】
また，音声信号をミュートさせる場合には，ＰＷＭ信号発生手段が出力するＰＷＭ信号のデュティ比を調節してミュートさせるので，ポップ雑音等が発生しなくなる。
【図面の簡単な説明】
【図１】本発明にかかる音量調節回路の概略的な回路図である。
【図２】図１に示す音量調節回路の音声信号処理手段の構成を示した詳細回路図である。
【図３】本発明にかかる音量調節回路をモニタに適用した実施形態の概略を示した回路図である。
【図４】従来の音量調節回路の概略構成を示す回路図である。
【符号の説明】
１０  音声信号入力手段
１１  ＰＷＭ信号発生手段
１２  整流手段
１３  音声信号レベル調節用集積素子
１４  音声信号処理手段
１５  音声出力手段
１６  電源供給手段
ＬＳＩ，ＲＳＩ  音声信号入力端子
ＵＫ，ＤＫ  アップキー，ダウンキー
Ｃ１１〜Ｃ１９  コンデンサ
Ｒ１１〜Ｒ２３  抵抗
ＩＮ１１，ＩＮ１２  音声信号レベル調節用集積素子の入力端子
ＶＬ  音声信号レベル調節用集積素子のレベル調節端子
ＯＴ１１，ＯＴ１２  音声信号レベル調節用集積素子の出力端子
ＯＰ１，ＯＰ２  演算増幅器
ＣＯＭ  音声信号レベル調節用集積素子の共通端子
１４１  音声信号レベル検出部
１４２  音声信号結合部
１４３  インピーダンス調節／低音補償部
１５１  音声増幅器
ＺＤ１１，ＺＤ１２  定電圧ダイオード
ＳＰ１１，ＳＰ１２  スピーカ
Ｖｃｃ  作動電源
【図１】
0003954699.tif 000002
【図２】
0003954699.tif 000003
【図３】
0003954699.tif 000004
【図４】
0003954699.tif 000005